(57)【要約】【課題】  簡単な構造で排水桝の高さを調整可能であり、施工性に優れた排水桝、床構造、及び床構造の施工方法を提供する。【解決手段】排水桝１は、筒状に形成されており、排水口１０が設けられた防水下地５の上に載置され、その周囲に打設されるモルタル６に埋設される桝本体１１と、前記桝本体１１の上部を覆うように配置され、桝本体１１の内部に排水を受け入れ可能な蓋体１５と、を備え、前記桝本体１１は側面に下方向に広がるように角度可変に折り曲がる折曲部２２を有する。【選択図】図１
2020117896.tif 000002
【特許請求の範囲】
【請求項１】
上下がそれぞれ開口した筒状に形成されており、排水口が設けられた防水下地の上に載置され、その周囲に打設されるモルタルに埋設される桝本体と、
前記桝本体の上部を覆うように配置され、桝本体の内部に排水を受け入れ可能な蓋体と、
を備え、
前記桝本体の側面に、下方向に広がるように角度可変に折り曲がる折曲部を有することを特徴とする排水桝。
【請求項２】
前記桝本体の側面は、下端から所定位置まで切り込んで形成される複数のスリットが設けられることを特徴とする請求項１に記載の排水桝。
【請求項３】
前記スリットは前記折曲部よりも高い位置まで切り込まれることを特徴とする請求項２に記載の排水桝。
【請求項４】
請求項１から請求項３のいずれかに記載の排水桝を配置した床構造であって、
前記モルタルの上に床仕上げ材が敷設され、
前記蓋体の上面は前記床仕上げ材の上面と面一に配置されることを特徴とする床構造。
【請求項５】
請求項４に記載の床構造の施工方法であって、
前記桝本体を防水下地の上に載置する桝本体設置工程と、
防水下地の上に前記モルタルを打設し養生する工程と、
前記モルタルの上に前記床仕上げ材を敷設する工程と、
前記桝本体の上部に蓋体を設置する工程と、
を備え、
前記桝本体設置工程は、折曲部の角度を変更することで前記桝本体の高さを調整することを特徴とする床構造の施工方法。
【発明の詳細な説明】
【技術分野】
【０００１】
本発明は、建物の屋外床に設けられる排水桝、当該排水桝を備えた床構造、及び床構造の施工方法に関する。
【背景技術】
【０００２】
従来より、屋外に形成されるモルタル床に排水桝を埋設させて、床上の雨水を排水する構造が知られている。このような構造の中には、高さ調整機構を備えており、排水桝の上縁のフランジとモルタル床の上に敷設される床仕上げ面材の上面とが面一になるように配置したもの（例えば特許文献１）や排水桝の上端縁を水勾配に一致するように調整可能としたものが提案されている（例えば特許文献２）。
【０００３】
特許文献１の排水桝は、桝本体と高さ調整枠を備えており、桝本体のフランジと高さ調整枠のフランジとの間に、ネジによって高さ調整可能な束が設けられており、束の高さを変更することで、桝本体の上の高さ調整枠が上方に変位するものである。また、特許文献２の排水桝は、桝本体の底部にボルト及びナットからなる高さ調整機構を複数設けて、桝本体の上にはめ込まれた枠を上下方向に高さ調整するものである。
【先行技術文献】
【特許文献】
【０００４】
【特許文献１】特開特開昭６２−６０３３号公報
【特許文献２】特開２００２−２９４８５３号公報
【発明の概要】
【発明が解決しようとする課題】
【０００５】
上述のような排水桝は、桝本体とグレーチングなどの蓋体との間に高さ調整のための枠が必要であるので部品点数が増加するとともに、ナットなどを回転させて高さ調整するため作業が煩わしく施工性が低下するおそれがある。
【０００６】
そこで、本発明は、簡単な構造で排水桝の高さを調整可能であり、施工性に優れた排水桝、床構造、及び床構造の施工方法を提供することを目的とする。
【課題を解決するための手段】
【０００７】
本発明の排水桝は、筒状に形成されており、排水口が設けられた防水下地の上に載置され、その周囲に打設されるモルタルに埋設される桝本体と、前記桝本体の上部を覆うように配置され、桝本体の内部に排水を受け入れ可能な蓋体と、を備え、前記桝本体は側面に下方向に広がるように角度可変に折り曲がる折曲部を有することを特徴としている。
【０００８】
本発明の排水桝は、前記桝本体の側面は、下端から所定位置まで切り込んで形成される複数のスリットが設けられることを特徴としている。
【０００９】
本発明の排水桝は、前記スリットは前記折曲部よりも高い位置まで切り込まれることを特徴としている。
【００１０】
本発明の床構造は、上記いずれかの排水桝を配置した床構造であって、前記モルタルの上に床仕上げ材が敷設され、前記蓋体の上面は前記床仕上げ材の上面と面一に配置されることを特徴としている。
【００１１】
本発明の床構造の施工方法は、上記の床構造を施工する施工方法であって、前記桝本体を防水下地の上に載置する桝本体設置工程と、防水下地の上に前記モルタルを打設し養生する工程と、前記モルタルの上に前記床仕上げ材を敷設する工程と、前記桝本体の上部に蓋体を設置する工程と、を備え、前記桝本体設置工程は、折曲部の角度を変更することで前記桝本体の高さを調整することを特徴としている。
【発明の効果】
【００１２】
本発明の排水桝によると、桝本体の側面に下方向に広がるように角度可変に折り曲がる折曲部を有するので、折曲部の角度を変更することで桝本体の側面が広がって、桝本体の高さを変更することができる。したがって、極めて簡単な構成で排水桝の高さを調整することができ、部品点数も削減できる。また、単に折り曲げる角度を変更するだけであるので施工を容易なものとすることができる。
【００１３】
本発明の排水桝によると、桝本体の側面に下端から所定位置まで切り込んで形成される複数のスリットが設けられているので、桝本体の周囲に打設されているモルタル内に浸透した水がスリットを通って桝本体の内部に浸入し排水することができる。したがって、モルタル内部に水が貯まった状態が継続することを防止し、エフロレッセンス（白華現象）の発生を抑制することができる。
【００１４】
本発明の排水桝によると、スリットは折曲部によりも高い位置まで切り込まれているので、排水桝の側面を複数に分けることで、当該側面に形成される折曲部の角度を変更する際に必要な力を小さくすることができ、より簡単に排水桝の高さ調整を行うことができる。また、排水桝の分断された側面にそれぞれ形成される折曲部を、それぞれ個別に角度調整することができるので、排水桝を載置する防水下地の上面に凹凸があるような場合でも適切な高さに安定して排水桝を載置することができる。また、排水桝自体に傾斜を設ける必要がある場合にも、それぞれの折曲部の角度を個別に調整することで所望の傾斜を設けることができる。
【００１５】
本発明の床構造によると、モルタルの上に敷設される床仕上げ材の上面と蓋体の上面とが面一に配置されるので、床構造を通行する際に蓋体が邪魔になることがない。
【００１６】
本発明の床構造の施工方法によると、桝本体設置工程は、折曲部の角度を変更することで桝本体の高さを調整するものであるので、簡単に桝本体の高さ調整を行うことができ施工性に優れる。
【図面の簡単な説明】
【００１７】
【図１】本実施形態の床構造の全体構成を説明する断面図。
【図２】本実施形態の桝本体が設置される箇所を説明する断面図。
【図３】（Ａ）は本実施形態の排水桝の形状を説明する斜視図、（Ｂ）はその脚部の拡大斜視図。
【図４】蓋体及び桝本体の分離した形状を説明する斜視図。
【図５】排水桝の全体構成を説明する断面図、（Ｂ）はフランジ部分の拡大断面図。
【図６】床構造の施工方法を順に示す図。
【図７】防水下地の高さに応じて、排水桝の高さを調整する状態を示す図。
【発明を実施するための形態】
【００１８】
以下、本発明の排水桝１、床構造２、及び床構造の施工方法の実施形態について各図を参照しつつ説明する。本実施形態の排水桝１は、屋外床部に設けられる床構造２に設置される排水桝１である。また、床構造２は、図２に示すように、廻り階段３を有する集合住宅の各階のエントランス部４に形成される床構造２である。なお、床構造２は、これに限定されるものではなく、例えば外廊下、エントランス部４、バルコニー、屋上などの排水が必要な屋外床部に持ちいられるものであればどのような場所に設けられるものであってもよい。床構造２は、図１に示すように、防水下地５と、防水下地５の上に打設されるモルタル６と、モルタル６の上に敷設される床仕上げ材７とを備えている。
【００１９】
防水下地５は、建物の躯体に支持されるＡＬＣ等の床版８、と当該床版８の上に敷設される防水シート９からなる。防水下地５には、その周縁の近傍に排水口１０が形成されている。なお、防水下地５の床版８はＡＬＣに限定されるものではなく、打設されるモルタル６の下地となるものであれば如何なるものであってもよい。防水下地５の排水口１０が形成された位置の上には、排水桝１が載置される。そして、モルタル６は、排水桝１の内部には打設されず、排水桝１の周囲に打設されて排水桝１の桝本体１１を固定する。モルタル６は後述する桝本体１１のフランジ１２の水平部１３の高さと上面が同じ高さになるように打設される。床仕上げ材７は四角い平板であり、例えばＰＣで形成される化粧材である。床仕上げ材７は養生されて硬化されたモルタル６の上面に図示しない専用の接着剤によって貼着され、排水桝１が設置された位置を除いて、モルタル６の上面に敷設される。床仕上げ材７はこれに限定されるものではなく、例えば、天然石製や樹脂製であってもよく、または窯業系の床仕上げ材であってもよい。
【００２０】
排水桝１は、図３から図５に示すように、防水下地５に載置される桝本体１１と、桝本体１１の上部を覆うように配置される蓋体１５とを備える。排水桝１は例えばステンレスなどの金属製であり、薄板を曲げ加工して形成されている。桝本体１１は、上下がそれぞれ開口した四角筒状である。桝本体１１は、上部に水平方向に広がる蓋載置部１６と、蓋載置部１６の外縁から上方に伸びる鉛直部１７と、鉛直部１７の上端から外側に広がるフランジ１２とを有している。フランジ１２はその内側が水平方向に広がる水平部１３を形成するとともに、その外側が下方に傾斜する傾斜部１４を形成している。フランジ１２の傾斜部１４は、桝本体１１の４つの角部に切り込みが形成されて４つに分断されており、それぞれの傾斜部１４に２つの長孔状の貫通孔１８が設けられている。このようにフランジ１２に貫通孔１８が形成されることで、図５（Ｂ）に示すように、桝本体１１の周囲にモルタル６を打設する際にフランジ１２の下側にまでモルタル６を廻りこませることができ、モルタル６を施工性よく打設することができる。
【００２１】
また、桝本体１１は、蓋載置部１６の下に四角筒状の側面部１９が形成されており、側面部１９は、下端から所定位置まで切り込んで形成されるスリット２０が設けられている。スリット２０は側面部１９の４面にそれぞれ３つずつ略等間隔で形成されており、これによって側面部１９の各面の下部分が４つの脚部２１に分割されている。そして、スリット２０により分割された脚部２１はその中間部に折曲部２２が形成されており、下方向に広がるように折り曲げられている。各脚部２１の折曲部２２は、図３（Ｂ）に示すように、それぞれ当該折曲部２２に沿って線状孔２３が形成されている。線状孔２３は両側端を残して脚部２１を貫通して形成されている。折曲部２２は、側面部１９がスリット２０によって脚部２１に分割されるとともに、線状孔２３によって他の部分よりも強度が低くなっていることで、専用工具を用いることなく人力で容易に折曲部２２の角度を変更することができる。
【００２２】
折曲部２２の角度を変更すると、図６（Ａ）及び図７に示すように、防水下地５に載置された際の桝本体１１の高さがを変更することができる。排水桝１は、端に折曲部２２の角度を変更するだけで高さを変更することができるので、別途高さ調整のための部材を必要とすることが無く、部品点数を削減できるとともに、施工を容易なものとすることができる。また、折曲部２２がスリット２０によって分割されたそれぞれの脚部２１に形成されていることで、防水下地５に凹凸があるような場合でもそれぞれの脚部２１の折曲部２２を凹凸に合わせて調整することで、凹凸を吸収することができ、桝本体１１を所望の高さに安定した姿勢で載置することができる。なお、例えば床仕上げ材７に水勾配を設ける場合などのように、排水桝１の桝本体１１に傾斜を設ける場合にも、それぞれの脚部２１の折曲部２２を必要な傾斜に合わせて個別に調整することで必要な傾斜を設けることができる。
【００２３】
また、側面部１９にスリット２０が形成されていることで、排水桝１とモルタル６の間や排水桝１の周囲のモルタル６を浸透した水がスリット２０から排水桝１を通って排水口１０に排出されるので、モルタル６内部に水が貯まった状態が継続することを防止し、エフロレッセンス（白華現象）の発生を抑制することができる。
【００２４】
蓋体１５は、平板状の上面部２４と、上面部２４の両側端をそれぞれ下方に折り曲げて形成された一対の側部２５と、一対の側部２５の下端を互いに接近する方向に折り曲げた下端部２６と、を有するグレーチングである。上面部２４は排水を桝本体１１の内側に受け入れる複数の受入孔２７を有している。また、下端部２６の下面には弾性を有するエラストマーシート２８が貼り付けられている。排水桝１は、桝本体１１の蓋載置部１６に蓋体１５の下端部２６のエラストマーシート２８が当接するように載置される。このとき蓋体１５の桝本体１１から突出する部分の高さは床仕上げ材７の厚さと等しくなるように形成されており、桝本体１１のフランジ１２の水平部１３の高さをモルタル６の上面の高さと一致させると、蓋体１５の上面と床仕上げ材７の上面とが面一に配置されることになる。また、下端部２６の下面にエラストマーシート２８が設けられることで、桝本体１１と蓋体１５との接触部分の滑り止めとなるとともに緩衝となり、桝本体１１と蓋体１５との擦れやガタツキを抑制できる。
【００２５】
以上のように構成される床構造の施工方法は、排水口１０が形成された床版８の上に防水シート９を貼付して防水下地５を形成した後、図６（Ｂ）に示すように、桝本体１１を防水下地５の上に載置する桝本体設置工程を行う。桝本体設置工程では、図６（Ａ）に示すように、このあとの工程で打設されるモルタル６の上面の高さと桝本体１１のフランジ１２の水平部１３の高さが等しくなるように、予め桝本体１１の折曲部２２の角度を調整し、桝本体１１の高さを調整する。
【００２６】
例えば、図７に示すように、防水下地５の防水シート９が１重となっている位置に桝本体１１を設置する場合には桝本体１１の高さ調整をしなくても、モルタル６の上面と桝本体１１のフランジ１２の水平部１３とが同じ高さとなるように桝本体１１の高さ寸法を設計している。そして、防水シート９が２重となっている位置に桝本体１１を設置する場合には、折曲部２２の下側の脚部２１に荷重を加えて、折曲部２２を折り曲げる。また防水シート９が３重となっている位置に桝本体１１を設置する場合には、折曲部２２をさらに折り曲げて桝本体１１の高さを調整する。桝本体１１の側面部１９はスリット２０に下端から折曲部２２よりも高い位置までが分割されているので、例えば、防水シート９が３重と成っている位置と防水シート９が２重となっている位置とに跨って桝本体１１を載置した場合であっても、それぞれの脚部２１毎に折曲部２２の角度を調整することができ、桝本体１１を所望の高さ及び姿勢で載置することができる。
【００２７】
次に、図６（Ｃ）に示すように、防水下地５の上にモルタル６を打設し養生する。このとき、桝本体１１の内部にはモルタル６を打設することなく空洞にし、桝本体１１の周囲を含む防水下地５の上にモルタル６を打設する。モルタル６は、桝本体１１のフランジ１２の水平部１３の高さと等しい高さまで打設し、その後硬化するまで養生する。そして、図６（Ｄ）に示すように、モルタル６の上に図示しない接着剤を塗布し、床仕上げ材７を張り付ける。床仕上げ材７は、桝本体１１の上に位置する部分を切り取って、桝本体１１にかからないようにモルタル６の上に敷設される。そして桝本体１１の形状が四角筒状であるので、床仕上げ材７を直線的に切り取ることで桝本体１１にかからないように加工することができ、床仕上げ材７の加工を容易にすることができる。
【００２８】
モルタル６に床仕上げ材７を敷設すると、桝本体１１の上部の開口に蓋体１５を載置し、床構造２の施工を完了する。
【００２９】
以上のように、本実施形態の排水桝１、床構造２、及び床構造の施工方法によると、折曲部２２の角度を変更する簡単な作業で桝本体１１の高さを調整することができ、施工性に優れる。
【００３０】
本発明の実施の形態は上述の形態に限ることなく、本発明の思想の範囲を逸脱しない範囲で適宜変更することができることは云うまでもない。
【産業上の利用可能性】
【００３１】
本発明に係る排水桝１、床構造２、及び床構造の施工方法は例えば集合住宅の外廊下などの屋外に設けられた床構造２に用いられる排水桝１、床構造２、床構造の施工方法として好適である。
【符号の説明】
【００３２】
１      排水桝
２      床構造
５      防水下地
６      モルタル
７      床仕上げ材
１１    桝本体
１２    フランジ
１５    蓋体
【図１】
2020117896.tif 000003
【図２】
2020117896.tif 000004
【図３】
2020117896.tif 000005
【図４】
2020117896.tif 000006
【図５】
2020117896.tif 000007
【図６】
2020117896.tif 000008
【図７】
2020117896.tif 000009